(57)【特許請求の範囲】
【請求項１】
商用電源から供給された電力を一般負荷に分配する分電盤と、
前記分電盤を介して前記商用電源からの電力が供給される蓄電装置とを具備し、
前記商用電源の停電時において前記蓄電装置の自立運転が行われ、前記蓄電装置からの電力を供給可能な電力供給システムであって、
ＯＮとＯＦＦとに切り替え可能であり、前記分電盤から前記蓄電装置への電力の流通の可否を切り替える第一リレーを具備し、
前記停電時以外の通常時において前記第一リレーがＯＦＦに切り替えられると、擬似的に前記停電時の状態となって前記蓄電装置の自立運転が行われる擬似停電モードが実行され、
前記一般負荷とは異なる専用負荷を具備し、
前記擬似停電モードが実行されると、前記蓄電装置からの電力を前記専用負荷に供給し、且つ前記商用電源からの電力を前記専用負荷に供給せず、
ＯＮとＯＦＦとに切り替え可能であり、前記蓄電装置から前記専用負荷への電力の流通の可否を切り替える第二リレーを具備し、
前記第二リレーは、前記第一リレーと互いに排他的に切り替えられる、
ことを特徴とする電力供給システム。
【請求項２】
前記停電時においても電力の供給を必要とし、前記一般負荷及び前記専用負荷とは異なる重要負荷と、
前記蓄電装置からの電力の供給先を、前記専用負荷と前記重要負荷とに切り替え可能な第一の切替ブロックと、を具備し、
前記停電時において前記蓄電装置からの電力の供給先が、前記第一の切替ブロックによって前記専用負荷から前記重要負荷に切り替えられる、
ことを特徴とする請求項１に記載の電力供給システム。
【請求項３】
商用電源から供給された電力を一般負荷に分配する分電盤と、
前記分電盤を介して前記商用電源からの電力が供給される蓄電装置とを具備し、
前記商用電源の停電時において前記蓄電装置の自立運転が行われ、前記蓄電装置からの電力を供給可能な電力供給システムであって、
ＯＮとＯＦＦとに切り替え可能であり、前記分電盤から前記蓄電装置への電力の流通の可否を切り替える第一リレーを具備し、
前記停電時以外の通常時において前記第一リレーがＯＦＦに切り替えられると、擬似的に前記停電時の状態となって前記蓄電装置の自立運転が行われる擬似停電モードが実行され、
前記一般負荷とは異なる専用負荷を具備し、
前記擬似停電モードが実行されると、前記蓄電装置からの電力を前記専用負荷に供給し、且つ前記商用電源からの電力を前記専用負荷に供給せず、
前記停電時においても電力の供給を必要とし、前記一般負荷及び前記専用負荷とは異なる重要負荷と、
前記蓄電装置からの電力の供給先を、前記専用負荷と前記重要負荷とに切り替え可能な第一の切替ブロックと、を具備し、
前記停電時において前記蓄電装置からの電力の供給先が、前記第一の切替ブロックによって前記専用負荷から前記重要負荷に切り替えられる、
ことを特徴とする電力供給システム。
【請求項４】
商用電源から供給された電力を一般負荷に分配する分電盤と、
前記分電盤を介して前記商用電源からの電力が供給される蓄電装置とを具備し、
前記商用電源の停電時において前記蓄電装置の自立運転が行われ、前記蓄電装置からの電力を供給可能な電力供給システムであって、
ＯＮとＯＦＦとに切り替え可能であり、前記分電盤から前記蓄電装置への電力の流通の可否を切り替える第一リレーを具備し、
前記停電時以外の通常時において前記第一リレーがＯＦＦに切り替えられると、擬似的に前記停電時の状態となって前記蓄電装置の自立運転が行われる擬似停電モードが実行され、
前記一般負荷とは異なる専用負荷を具備し、
前記擬似停電モードが実行されると、前記蓄電装置からの電力を前記専用負荷に供給し、且つ前記商用電源からの電力を前記専用負荷に供給せず、
前記停電時においても電力の供給を必要とし、前記一般負荷及び前記専用負荷とは異なる重要負荷と、
前記商用電源から前記重要負荷への電力の流通の可否と、前記蓄電装置から前記重要負荷への電力の流通の可否とを、前記停電時であるか否かに応じて排他的に切り替える第二の切替ブロックと、
前記商用電源から前記専用負荷への電力の流通の可否と、前記蓄電装置から前記専用負荷への電力の流通の可否とを、前記蓄電装置の自立運転が行われているか否かに応じて排他的に切り替える第三の切替ブロックと、を具備し、
前記第二の切替ブロックは、前記停電時において、前記商用電源から前記重要負荷への電力の流通を不能に切り替えると共に、前記蓄電装置から前記重要負荷への電力の流通を可能に切り替え、
前記第三の切替ブロックは、前記蓄電装置の自立運転が行われている場合に、前記商用電源から前記専用負荷への電力の流通を不能に切り替えると共に、前記蓄電装置から前記専用負荷への電力の流通を可能に切り替える、
ことを特徴とする電力供給システム。
【請求項５】
前記専用負荷は、音響機器を有する音響空間に設けられる、
ことを特徴とする請求項１から請求項４までのいずれか一項に記載の電力供給システム。
【請求項６】
前記自立運転によって出力される前記蓄電装置からの電力の電圧及び／又は周波数を変更する変更手段を具備する、
ことを特徴とする請求項１から請求項５までのいずれか一項に記載の電力供給システム。
【請求項７】
前記擬似停電モードが実行された場合に、
所定の条件を満たすと自動的に前記第一リレーがＯＮに切り替えられ、当該擬似停電モードの実行を停止する、
ことを特徴とする請求項１から請求項６までのいずれか一項に記載の電力供給システム。
【請求項８】
時刻を計時する計時部を具備し、
前記計時部により計時された時刻が特定時刻になった場合に、前記所定の条件を満たす、
ことを特徴とする請求項７に記載の電力供給システム。
【発明の詳細な説明】
【技術分野】
【０００１】
本発明は、商用電源の停電時において蓄電装置の自立運転が行われる電力供給システムの技術に関する。
【背景技術】
【０００２】
従来、商用電源の停電時において蓄電装置の自立運転が行われる電力供給システムの技術は公知となっている。例えば特許文献１に記載の如くである。
【０００３】
特許文献１に記載の電力供給システムは、商用電源の停電時において蓄電装置の自立運転が行われる。このような構成により、停電時において負荷（家電機器）へと蓄電装置からの電力を供給し、当該家電機器を使用することができる。
【０００４】
しかしながら、特許文献１に記載の技術においては、停電時以外の通常時において蓄電装置の自立運転が行われなかった。ここで、自立運転により出力される蓄電装置からの電力は、商用電源からの電力と比較して電圧変動が少ないという特徴を有する。すなわち、特許文献１に記載の技術においては、電圧変動が少ない電力の有効活用に関して、改善の余地があった。
【先行技術文献】
【特許文献】
【０００５】
【特許文献１】特開２００９−７７５７０号公報
【発明の概要】
【発明が解決しようとする課題】
【０００６】
本発明は以上の如き状況に鑑みてなされたものであり、その解決しようとする課題は、電圧変動が少ない電力を有効活用することができる電力供給システムを提供することである。
【課題を解決するための手段】
【０００７】
本発明の解決しようとする課題は以上の如くであり、次にこの課題を解決するための手段を説明する。
【０００８】
即ち、請求項１においては、商用電源から供給された電力を一般負荷に分配する分電盤と、前記分電盤を介して前記商用電源からの電力が供給される蓄電装置とを具備し、前記商用電源の停電時において前記蓄電装置の自立運転が行われ、前記蓄電装置からの電力を供給可能な電力供給システムであって、ＯＮとＯＦＦとに切り替え可能であり、前記分電盤から前記蓄電装置への電力の流通の可否を切り替える第一リレーを具備し、前記停電時以外の通常時において前記第一リレーがＯＦＦに切り替えられると、擬似的に前記停電時の状態となって前記蓄電装置の自立運転が行われる擬似停電モードが実行され、前記一般負荷とは異なる専用負荷を具備し、前記擬似停電モードが実行されると、前記蓄電装置からの電力を前記専用負荷に供給し、且つ前記商用電源からの電力を前記専用負荷に供給せず、ＯＮとＯＦＦとに切り替え可能であり、前記蓄電装置から前記専用負荷への電力の流通の可否を切り替える第二リレーを具備し、前記第二リレーは、前記第一リレーと互いに排他的に切り替えられるものである。
【０００９】
請求項２においては、前記停電時においても電力の供給を必要とし、前記一般負荷及び前記専用負荷とは異なる重要負荷と、前記蓄電装置からの電力の供給先を、前記専用負荷と前記重要負荷とに切り替え可能な第一の切替ブロックと、を具備し、前記停電時において前記蓄電装置からの電力の供給先が、前記第一の切替ブロックによって前記専用負荷から前記重要負荷に切り替えられるものである。
【００１０】
請求項３においては、商用電源から供給された電力を一般負荷に分配する分電盤と、前記分電盤を介して前記商用電源からの電力が供給される蓄電装置とを具備し、前記商用電源の停電時において前記蓄電装置の自立運転が行われ、前記蓄電装置からの電力を供給可能な電力供給システムであって、ＯＮとＯＦＦとに切り替え可能であり、前記分電盤から前記蓄電装置への電力の流通の可否を切り替える第一リレーを具備し、前記停電時以外の通常時において前記第一リレーがＯＦＦに切り替えられると、擬似的に前記停電時の状態となって前記蓄電装置の自立運転が行われる擬似停電モードが実行され、前記一般負荷とは異なる専用負荷を具備し、前記擬似停電モードが実行されると、前記蓄電装置からの電力を前記専用負荷に供給し、且つ前記商用電源からの電力を前記専用負荷に供給せず、前記停電時においても電力の供給を必要とし、前記一般負荷及び前記専用負荷とは異なる重要負荷と、前記蓄電装置からの電力の供給先を、前記専用負荷と前記重要負荷とに切り替え可能な第一の切替ブロックと、を具備し、前記停電時において前記蓄電装置からの電力の供給先が、前記第一の切替ブロックによって前記専用負荷から前記重要負荷に切り替えられるものである。
【００１１】
請求項４においては、商用電源から供給された電力を一般負荷に分配する分電盤と、前記分電盤を介して前記商用電源からの電力が供給される蓄電装置とを具備し、前記商用電源の停電時において前記蓄電装置の自立運転が行われ、前記蓄電装置からの電力を供給可能な電力供給システムであって、ＯＮとＯＦＦとに切り替え可能であり、前記分電盤から前記蓄電装置への電力の流通の可否を切り替える第一リレーを具備し、前記停電時以外の通常時において前記第一リレーがＯＦＦに切り替えられると、擬似的に前記停電時の状態となって前記蓄電装置の自立運転が行われる擬似停電モードが実行され、前記一般負荷とは異なる専用負荷を具備し、前記擬似停電モードが実行されると、前記蓄電装置からの電力を前記専用負荷に供給し、且つ前記商用電源からの電力を前記専用負荷に供給せず、前記停電時においても電力の供給を必要とし、前記一般負荷及び前記専用負荷とは異なる重要負荷と、前記商用電源から前記重要負荷への電力の流通の可否と、前記蓄電装置から前記重要負荷への電力の流通の可否とを、前記停電時であるか否かに応じて排他的に切り替える第二の切替ブロックと、前記商用電源から前記専用負荷への電力の流通の可否と、前記蓄電装置から前記専用負荷への電力の流通の可否とを、前記蓄電装置の自立運転が行われているか否かに応じて排他的に切り替える第三の切替ブロックと、を具備し、前記第二の切替ブロックは、前記停電時において、前記商用電源から前記重要負荷への電力の流通を不能に切り替えると共に、前記蓄電装置から前記重要負荷への電力の流通を可能に切り替え、前記第三の切替ブロックは、前記蓄電装置の自立運転が行われている場合に、前記商用電源から前記専用負荷への電力の流通を不能に切り替えると共に、前記蓄電装置から前記専用負荷への電力の流通を可能に切り替えるものである。
【００１２】
請求項５においては、前記専用負荷は、音響機器を有する音響空間に設けられるものである。
【００１３】
請求項６においては、前記自立運転によって出力される前記蓄電装置からの電力の電圧及び／又は周波数を変更する変更手段を具備するものである。
【００１４】
請求項７においては、前記擬似停電モードが実行された場合に、所定の条件を満たすと自動的に前記第一リレーがＯＮに切り替えられ、当該擬似停電モードの実行を停止するものである。
【００１５】
請求項８においては、時刻を計時する計時部を具備し、前記計時部により計時された時刻が特定時刻になった場合に、前記所定の条件を満たすものである。
【発明の効果】
【００１８】
本発明の効果として、以下に示すような効果を奏する。
【００１９】
請求項１においては、電圧変動が少ない電力を有効活用することができる。また、電圧変動が少ない電力を、専用負荷で有効活用することができる。また、停電時であっても、簡単な操作によって蓄電装置からの電力を専用負荷へと供給することができる。
【００２０】
請求項２においては、停電時において、簡易な構成によって蓄電装置からの電力を重要負荷に供給することができる。
【００２１】
請求項３においては、電圧変動が少ない電力を有効活用することができる。また、電圧変動が少ない電力を、専用負荷で有効活用することができる。また、停電時において、簡易な構成によって蓄電装置からの電力を重要負荷に供給することができる。
【００２２】
請求項４においては、電圧変動が少ない電力を有効活用することができる。また、電圧変動が少ない電力を、専用負荷で有効活用することができる。また、停電時において、簡易な構成によって蓄電装置からの電力を専用負荷及び重要負荷に供給することができる。
【００２３】
請求項５においては、音響機器の動作を安定させることができる。
【００２４】
請求項６においては、自立運転によって出力される蓄電装置からの電力を使用する場合に、当該電力を最適な電圧及び／又は周波数に変更して使用することができる。
【００２５】
請求項７においては、蓄電装置がエラーとなって動作を停止するのを防止することができる。
【００２６】
請求項８においては、蓄電装置がエラーとなって動作を停止するのを防止することができる。
【図面の簡単な説明】
【００２９】
【図１】本発明の第一実施形態に係る電力供給システムの構成を示したブロック図。
【図２】同じく、通常時にオーディオルームが使用されていない場合における電力の供給態様を示した模式図。
【図３】同じく、通常時にオーディオルームが使用されている場合における電力の供給態様を示した模式図。
【図４】同じく、停電時にオーディオルームが使用されていない場合における電力の供給態様を示した模式図。
【図５】本発明の第二実施形態に係る電力供給システムの構成を示したブロック図。
【図６】同じく、通常時にオーディオルームが使用されていない場合における電力の供給態様を示した模式図。
【図７】同じく、通常時にオーディオルームが使用されている場合における電力の供給態様を示した模式図。
【図８】同じく、停電時にオーディオルームが使用されていない場合における電力の供給態様を示した模式図。
【図９】同じく、停電時にオーディオルームが使用される場合における電力の供給態様を示した模式図。
【図１０】本発明の第三実施形態に係る電力供給システムの構成を示したブロック図。
【図１１】同じく、通常時にオーディオルームが使用されている場合における電力の供給態様を示した模式図。
【図１２】同じく、停電時にオーディオルームが使用される場合における電力の供給態様を示した模式図。
【図１３】本発明の第三実施形態に係る電力供給システムの第一別例の構成を示したブロック図。
【図１４】同じく、通常時にオーディオルームが使用されている場合における電力の供給態様を示した模式図。
【図１５】同じく、通常時にオーディオルームの使用が終了した場合における電力の供給態様を示した模式図。
【図１６】本発明の第三実施形態に係る電力供給システムの第二別例の構成を示したブロック図。
【発明を実施するための形態】
【００３０】
以下では、図１を用いて、本発明に係る電力供給システムの第一実施形態である電力供給システム１００の構成について説明する。
【００３１】
電力供給システム１００は、建築物（本実施形態においては住宅）に設けられ、商用電源９０が停電時において、蓄電装置１２の自立運転が行われるものである。電力供給システム１００は、主として一般分電盤１０と、蓄電装置１２と、連系ブレーカ１３と、第一リレー１４と、重要負荷１５と、分岐ブレーカ１６と、第二リレー１７と、オーディオルーム１８と、第三リレー１９と、自立出力ブレーカ２０と、第四リレー２１と、第五リレー２２と、電力経路と、を具備する。なお、前記電力経路には、第一電力経路３１と、第二電力経路３２と、第三電力経路３３と、第四電力経路３４と、第五電力経路３５と、が含まれる。
【００３２】
一般分電盤１０は、商用電源９０から供給された電力を一般負荷１０ａへと分配するものである。
【００３３】
一般負荷１０ａとは、住宅において電力が消費される電化製品等に接続される回路であって、商用電源９０が停電時において電力を供給する必要性が低いものである。例えば、一般負荷１０ａには、住宅のリビング以外の部屋の照明等が接続される。なお、本実施形態において、住宅の負荷（家庭内負荷）には、一般負荷１０ａの他に、後述する重要負荷１５や、オーディオルーム１８が含まれる。
【００３４】
第一電力経路３１は、電力を流通させるための経路である。第一電力経路３１は、導線等で構成される。第一電力経路３１の一側は、商用電源９０に接続される。第一電力経路３１の他側は、一般分電盤１０に接続される。第一電力経路３１の中途部には、商用電源９０から供給された電力を検出する電力センサ４５が設置される。
【００３５】
蓄電装置１２は、商用電源９０から供給された電力を充電したり、当該蓄電装置１２に充電された電力を放電したりする装置である。蓄電装置１２には、第一電力経路３１、一般分電盤１０及び第二電力経路３２を介して商用電源９０からの電力が供給される。蓄電装置１２は、主として蓄電池２５と、パワコン２６と、を具備する。
【００３６】
蓄電池２５は、電力を充放電可能に構成されるものである。蓄電池２５は、主としてリチウムイオン電池等により構成される。
【００３７】
パワコン２６は、蓄電池２５の充放電を制御するもの（パワーコンディショナ）である。パワコン２６は、蓄電装置１２の内部で、所定の電力経路を介して蓄電池２５に接続される。
【００３８】
このように構成された蓄電装置１２は、商用電源９０と連系する連系運転と、商用電源９０と連系しない自立運転と、の２つの運転が行われる。蓄電装置１２は、自立運転が行われると、蓄電池２５に充電された電力を、パワコン２６から出力（供給）することができる。
【００３９】
また、蓄電装置１２は、第一電力経路３１に設置された電力センサ４５に接続され、当該電力センサ４５の検出結果に基づいて停電を検知可能に構成される。こうして、蓄電装置１２は、停電を検知した場合に、所定の制御によって自立運転が自動的に行われる。なお、蓄電装置１２は、停電が発生した場合に、住宅の居住者による手動の操作によって自立運転を行うこともできる。
【００４０】
第二電力経路３２は、電力を流通させるための経路である。第二電力経路３２は、導線等で構成される。第二電力経路３２の一側は、一般分電盤１０に接続される。第二電力経路３２の他側は、蓄電装置１２（より詳細には、パワコン２６）に接続される。第二電力経路３２の中途部には、連系ブレーカ１３や、第一リレー１４が設置される。
【００４１】
連系ブレーカ１３は、第二電力経路３２の電力の流通を遮断するためのものである。連系ブレーカ１３によって第二電力経路３２の電力の流通が遮断されると、商用電源９０からの電力が蓄電装置１２に供給不能な状態となる。
【００４２】
第一リレー１４は、電力の流通の可否を切り替えるものである。第一リレー１４は、第二電力経路３２において、連系ブレーカ１３と蓄電装置１２との間に設置される。第一リレー１４がＯＮに切り替えられると、電力が第一リレー１４を流通可能となる。また、第一リレー１４がＯＦＦに切り替えられると、電力が第一リレー１４を流通不能となる。
【００４３】
重要負荷１５は、住宅において電力が消費される電化製品等に接続される回路であって、停電時において電力を供給する必要性が一般負荷１０ａより高いものである。例えば、重要負荷１５には、住宅のリビングの照明や、医療機器、冷蔵庫等、常時運転状態とすべき機器が接続される。
【００４４】
第三電力経路３３は、電力を流通させるための経路である。第三電力経路３３は、導線等で構成される。第三電力経路３３の一側は、一般分電盤１０に接続される。第三電力経路３３の他側は、重要負荷１５に接続される。第三電力経路３３の中途部には、分岐ブレーカ１６や、第二リレー１７が設置される。
【００４５】
分岐ブレーカ１６は、第三電力経路３３の電力の流通を遮断するためのものである。分岐ブレーカ１６によって第三電力経路３３の電力の流通が遮断されると、商用電源９０からの電力が重要負荷１５及びオーディオルーム１８に供給不能な状態となる。
【００４６】
第二リレー１７は、電力の流通の可否を切り替えるものである。第二リレー１７は、第三電力経路３３において、分岐ブレーカ１６と重要負荷１５との間に設置される。第二リレー１７がＯＮに切り替えられると、電力が第二リレー１７を流通可能となる。また、第二リレー１７がＯＦＦに切り替えられると、電力が第二リレー１７を流通不能となる。
【００４７】
オーディオルーム１８は、アンプやスピーカ等の音響機器を有する部屋（音響空間）である。オーディオルーム１８においては、住宅の居住者は、前記音響機器を動作させて音響を楽しむことができる。なお、オーディオルーム１８（より詳細には、オーディオルーム１８に設けられ、前記音響機器が接続される回路）は、宅内の負荷（家庭内負荷）に含まれる。
【００４８】
第四電力経路３４は、電力を流通させるための経路である。第四電力経路３４は、導線等で構成される。第四電力経路３４の一側は、第三電力経路３３の中途部（以下では「第一接点４１」と称する）に接続される。第一接点４１は、第三電力経路３３において分岐ブレーカ１６と第二リレー１７との間に設けられる。第四電力経路３４の中途部には、第三リレー１９が設置される。第四電力経路３４の他側は、オーディオルーム１８に接続される。
【００４９】
第三リレー１９は、電力の流通の可否を切り替えるものである。第三リレー１９は、第四電力経路３４の中途部に設置される。第三リレー１９がＯＮに切り替えられると、電力が第三リレー１９を流通可能となる。また、第三リレー１９がＯＦＦに切り替えられると、電力が第三リレー１９を流通不能となる。
【００５０】
第五電力経路３５は、電力を流通させるための経路である。第五電力経路３５は、導線等で構成される。第五電力経路３５の一側は、蓄電装置１２（より詳細には、パワコン２６）に接続される。
【００５１】
第五電力経路３５の他側は中途部４４で分岐され、当該分岐した一方（以下では「第五電力分岐経路３５ａ」と称する）が、第三電力経路３３の中途部（以下では「第二接点４２」と称する）に接続される。第二接点４２は、第三電力経路３３において第二リレー１７と重要負荷１５との間に設けられる。
【００５２】
また、前記分岐した他方（以下では「第五電力分岐経路３５ｂ」と称する）は、第四電力経路３４の中途部（以下では「第三接点４３」と称する）に接続される。第三接点４３は、第四電力経路３４において、第三リレー１９とオーディオルーム１８との間に設けられる。
【００５３】
また、第五電力経路３５の中途部には、自立出力ブレーカ２０が設置される。また、第五電力分岐経路３５ａの中途部には、第四リレー２１が設置される。また、第五電力分岐経路３５ｂの中途部には、第五リレー２２が設置される。
【００５４】
自立出力ブレーカ２０は、第五電力経路３５（第五電力分岐経路３５ａ及び第五電力分岐経路３５ｂ）の電力の流通を遮断するためのものである。自立出力ブレーカ２０によって第五電力経路３５（第五電力分岐経路３５ａ及び第五電力分岐経路３５ｂ）の電力の流通が遮断されると、蓄電装置１２からの電力が重要負荷１５及びオーディオルーム１８に供給不能な状態となる。
【００５５】
第四リレー２１は、電力の流通の可否を切り替えるものである。第四リレー２１は、第五電力分岐経路３５ａの中途部に設置される。第四リレー２１がＯＮに切り替えられると、電力が第四リレー２１を流通可能となる。また、第四リレー２１がＯＦＦに切り替えられると、電力が第四リレー２１を流通不能となる。
【００５６】
第五リレー２２は、電力の流通の可否を切り替えるものである。第五リレー２２は、第五電力分岐経路３５ｂの中途部に設置される。第五リレー２２がＯＮに切り替えられると、電力が第五リレー２２を流通可能となる。また、第五リレー２２がＯＦＦに切り替えられると、電力が第五リレー２２を流通不能となる。
【００５７】
制御装置２３は、電力供給システム１００内の情報を管理し、当該電力供給システム１００を構成する各機器を制御するものである。制御装置２３は、住宅内に構築されたネットワークを通じて各機器（第一リレー１４等の各リレーや、蓄電装置１２等）に接続される（不図示）。また、制御装置２３は、電力供給システム１００内の情報が表示される表示部２７を有する。
【００５８】
また、制御装置２３は、前記各機器の動作に関する情報を取得すると共に、当該動作を制御することができる。具体的には、制御装置２３は、停電の発生を検知することができる。また、制御装置２３は、蓄電装置１２の運転状態（具体的には、連系運転及び自立運転の何れが行われているか）を検知することができる。また、制御装置２３は、連系ブレーカ１３等の各ブレーカの状態を検知することができる。また、制御装置２３は、第一リレー１４等の各リレーの状態を検知することができる。また、制御装置２３は、第一リレー１４等の各リレーの動作を制御する（ＯＮとＯＦＦとを切り替える）ことができる。
【００５９】
なお、第一リレー１４等の各リレーの動作の制御は、当該各リレーを予め設定された３つのブロックに分けて行われる。以下では、前記３つのブロックを、第一ブロックＢ１０と、第二ブロックＢ２０と、第三ブロックＢ３０と、それぞれ称する。
【００６０】
第一ブロックＢ１０には、第一リレー１４が含まれる。
【００６１】
第二ブロックＢ２０には、第四リレー２１及び第五リレー２２が含まれる。第四リレー２１及び第五リレー２２の動作は、一方がＯＮであると他方がＯＦＦとなる排他的制御が行われる。
【００６２】
第三ブロックＢ３０は、第三ブロックＢ３１と、第三ブロックＢ３２と、に分けられる。
【００６３】
第三ブロックＢ３１は、第四リレー２１及び第二リレー１７が含まれる。第四リレー２１及び第二リレー１７の動作は、一方がＯＮであると他方がＯＦＦとなる排他的制御が行われる。
【００６４】
第三ブロックＢ３２は、第五リレー２２及び第三リレー１９が含まれる。第五リレー２２及び第三リレー１９の動作は、一方がＯＮであると他方がＯＦＦとなる排他的制御が行われる。
【００６５】
このように、第四リレー２１は、第二ブロックＢ２０及び第三ブロックＢ３０（より詳細には、第三ブロックＢ３１）の両方に含まれる。また、第五リレー２２は、第二ブロックＢ２０及び第三ブロックＢ３０（より詳細には、第三ブロックＢ３２）の両方に含まれる。
【００６６】
こうして、第二ブロックＢ２０において第四リレー２１及び第五リレー２２の動作の制御が行われた場合には、当該制御に応じて、第三ブロックＢ３０における各スイッチの動作が制御される。具体的には、第二ブロックＢ２０において第四リレー２１及び第五リレー２２の動作が制御されると、第三ブロックＢ３０のうち、第三ブロックＢ３１において第二リレー１７の動作が制御されると共に、第三ブロックＢ３２において第三リレー１９の動作が制御される。
【００６７】
上述の如く構成された電力供給システム１００は、電力の供給態様に関して実行可能な種々のモードを有する。前記種々のモードは、住宅の居住者のライフスタイル等に応じて選択される。電力供給システム１００は、前記種々のモードのうち一つとして、擬似停電モードを有する。
【００６８】
擬似停電モードとは、停電時でない場合（すなわち、通常時）であっても、擬似的に停電時の状態となって、蓄電装置１２の自立運転が行われるモードである。ここで、本実施形態において擬似的な停電時の状態とは、通常時において、蓄電装置１２が商用電源９０から解列され、当該商用電源９０と連系しない状態を指すものである。こうして、擬似停電モードが実行されると、通常時であっても蓄電装置１２の自立運転が行われ、当該蓄電装置１２において蓄電池２５に充電された電力をパワコン２６から出力することができる。
【００６９】
以下では、図２から図４を用いて、電力供給システム１００における電力の供給態様について説明する。
【００７０】
まず、図２を用いて、通常時にオーディオルーム１８が使用されていない場合の、電力供給システム１００における電力の供給態様について説明する。
【００７１】
この場合、商用電源９０からの電力は、第一電力経路３１を介して一般分電盤１０に供給される。一般分電盤１０においては、商用電源９０からの電力が、一般負荷１０ａに分配（供給）される。
【００７２】
また、第三ブロックＢ３１において、第二リレー１７がＯＮに切り替えられ、第二リレー１７に電力が流通可能な状態となる。こうして、重要負荷１５には、第一電力経路３１、一般分電盤１０及び第三電力経路３３を介して商用電源９０からの電力が供給される。
【００７３】
また、第一ブロックＢ１０において、第一リレー１４がＯＮに切り替えられ、第一リレー１４に電力が流通可能な状態となる。こうして、蓄電装置１２には、第一電力経路３１、一般分電盤１０及び第二電力経路３２を介して商用電源９０からの電力が供給される。
【００７４】
このように、通常時にオーディオルーム１８が使用されていない場合には、一般負荷１０ａ及び重要負荷１５に商用電源９０からの電力が供給される。また、蓄電装置１２は、商用電源９０からの電力が充電可能となる。
【００７５】
次に、図３を用いて、通常時にオーディオルーム１８が使用されている場合の、電力供給システム１００における電力の供給態様について説明する。
【００７６】
この場合、商用電源９０からの電力は、第一電力経路３１を介して一般分電盤１０に供給される。一般分電盤１０においては、当該商用電源９０からの電力が一般負荷１０ａに分配（供給）される。
【００７７】
また、第三ブロックＢ３１において、第二リレー１７がＯＮに切り替えられ、第二リレー１７に電力が流通可能な状態となる。こうして、重要負荷１５には、第一電力経路３１、一般分電盤１０及び第三電力経路３３を介して商用電源９０からの電力が供給される。
【００７８】
また、第一ブロックＢ１０において、第一リレー１４がＯＦＦに切り替えられ、第一リレー１４に電力が流通不能な状態となる。すなわち、第一リレー１４がＯＦＦに切り替えられると、蓄電装置１２は、商用電源９０から解列され、当該商用電源９０からの電力が供給不能な状態（擬似的な停電時の状態）となる。なお、第一リレー１４のＯＮからＯＦＦへの切り替えは、例えばオーディオルーム１８を使用する居住者による手動の操作によって行われる。
【００７９】
こうして、通常時において第一リレー１４がＯＮからＯＦＦへと切り替えられると、擬似停電モードが実行される。すなわち、蓄電装置１２の自立運転が行われ、当該蓄電装置１２において蓄電池２５に充電された電力をパワコン２６から出力することができる。
【００８０】
また、第三ブロックＢ３１において第二リレー１７がＯＮに切り替えられた場合、当該第三ブロックＢ３１に含まれる第四リレー２１がＯＦＦに切り替えられ、第四リレー２１に電力が流通不能な状態となる。また、第四リレー２１は第二ブロックＢ２０にも含まれるため、当該第二ブロックＢ２０に含まれる第五リレー２２がＯＮに切り替えられ、第五リレー２２に電力が流通可能な状態となる。
【００８１】
こうして、自立運転によって蓄電装置１２から出力された電力は、第五電力経路３５（第五電力分岐経路３５ｂ）及び第四電力経路３４を介してオーディオルーム１８に供給される。こうして、オーディオルーム１８を使用する居住者は、自立運転による蓄電装置１２から出力された電力を用いて音響機器を動作させ、音響を楽しむことができる。
【００８２】
なお、前述したように、第四リレー２１に電力が流通不能な状態であるため、自立運転によって蓄電装置１２から出力された電力は重要負荷１５へと供給されない。
【００８３】
また、第二ブロックＢ２０において第五リレー２２がＯＮに切り替えられた場合、当該第五リレー２２は第三ブロックＢ３２にも含まれるため、当該第三ブロックＢ３２に含まれる第三リレー１９がＯＦＦに切り替えられ、第三リレー１９に電力が流通不能な状態となる。このため、一般分電盤１０に供給された商用電源９０からの電力は、オーディオルーム１８へと供給されない。
【００８４】
このように、通常時にオーディオルーム１８が使用されている場合には、一般負荷１０ａ及び重要負荷１５に商用電源９０からの電力が供給される。また、擬似停電モードが実行され、自立運転によって蓄電装置１２から出力された電力がオーディオルーム１８へと供給される。なお、商用電源９０からの電力は、オーディオルーム１８に供給されない。
【００８５】
ここで、一般負荷１０ａ及び重要負荷１５に供給される商用電源９０からの電力は、当該一般負荷１０ａ及び重要負荷１５に接続される電化製品（例えば、掃除機や、ドライヤー等）の使用に応じて電圧の波形が歪んだり、電圧が変動したり（以下では単に「電圧変動」と称する）する場合がある。そのため、例えば一般負荷１０ａ及び重要負荷１５に前記音響機器が接続される場合には、供給される電力が電圧変動するため、当該音響機器の動作が不安定となり、ひいては良好な音響を得難いことになる。
【００８６】
これに対して、本実施形態において擬似停電モードが実行され、自立運転によって蓄電装置１２から出力された電力は、オーディオルーム１８の音響機器だけに供給され、一般負荷１０ａ及び重要負荷１５に接続される電化製品に供給されない。すなわち、オーディオルーム１８の音響機器に供給される電力は、電圧変動が少ない電力となる。
【００８７】
こうして、通常時にオーディオルーム１８が使用されている場合には、擬似停電モードが実行されることによって、オーディオルーム１８の音響機器に電圧変動が少ない電力が供給され、当該音響機器の動作が安定し、ひいては住宅の居住者が良好な音響を楽しむことができる。
【００８８】
次に、図４を用いて、停電時にオーディオルーム１８が使用されていない場合の、電力供給システム１００における電力の供給態様について説明する。
【００８９】
この場合、商用電源９０からの電力は、第一電力経路３１を介して一般分電盤１０に供給されない。すなわち、一般負荷１０ａには、商用電源９０からの電力が供給されない。
【００９０】
また、第三ブロックＢ３１において、第二リレー１７がＯＦＦに切り替えられ、第二リレー１７に電力が流通不能な状態となる。また、第三ブロックＢ３１において第二リレー１７がＯＦＦに切り替えられた場合、当該第三ブロックＢ３１に含まれる第四リレー２１がＯＮに切り替えられ、第四リレー２１に電力が流通可能な状態となる。また、第四リレー２１は第二ブロックＢ２０にも含まれるため、当該第二ブロックＢ２０に含まれる第五リレー２２がＯＦＦに切り替えられ、第五リレー２２に電力が流通不能な状態となる。
【００９１】
また、停電が発生すると、連系ブレーカ１３によって第二電力経路３２の電力の流通が遮断され、蓄電装置１２が商用電源９０から解列される。こうして、蓄電装置１２は自立運転を行って、当該蓄電装置１２において蓄電池２５に充電された電力をパワコン２６から出力することができる。こうして、自立運転によって蓄電装置１２から出力された電力は、第五電力経路３５（第五電力分岐経路３５ａ）及び第三電力経路３３を介して重要負荷１５に供給される。
【００９２】
これによって、停電時に住宅の居住者は、重要負荷１５に接続された電化製品、すなわち停電時において電力を供給する必要性が高い住宅のリビングの照明や、医療機器、冷蔵庫等を、自立運転によって蓄電装置１２から出力された電力を利用して使用することができる。
【００９３】
なお、前述したように、第五リレー２２に電力が流通不能な状態であるため、自立運転によって蓄電装置１２から出力された電力は、オーディオルーム１８へと供給されない。
【００９４】
以上のように、本発明に係る電力供給システムの一実施形態である電力供給システム１００は、
商用電源９０から供給された電力を一般負荷１０ａに分配する一般分電盤１０と、
前記一般分電盤１０を介して前記商用電源９０からの電力が供給される蓄電装置１２とを具備し、
前記商用電源９０が停電時において前記蓄電装置１２の自立運転が行われ、前記蓄電装置１２からの電力を供給可能な電力供給システムであって、
ＯＮとＯＦＦとに切り替え可能であり、前記一般分電盤１０から前記蓄電装置１２への電力の流通の可否を切り替える第一リレー１４を具備し、
前記停電時以外の通常時において前記第一リレー１４がＯＦＦに切り替えられると、擬似的に前記停電時の状態となって前記蓄電装置１２の自立運転が行われる擬似停電モードが実行されるものである。
【００９５】
このような構成により、電圧変動が少ない電力を有効活用することができる。
【００９６】
また、電力供給システム１００においては、
前記一般負荷１０ａとは異なるオーディオルーム１８（専用負荷）を具備し、
前記擬似停電モードが実行されると、前記蓄電装置１２からの電力を前記オーディオルーム１８（専用負荷）に供給し、且つ前記商用電源９０からの電力を前記オーディオルーム１８（専用負荷）に供給しないものである。
【００９７】
このような構成により、電圧変動が少ない電力を、オーディオルーム１８（専用負荷）で有効活用することができる。
【００９８】
また、電力供給システム１００においては、
前記停電時においても電力の供給を必要とし、前記一般負荷１０ａ及び前記オーディオルーム１８（専用負荷）とは異なる重要負荷１５と、
前記蓄電装置１２からの電力の供給先を、前記オーディオルーム１８（専用負荷）と前記重要負荷１５とに切り替え可能な第二ブロックＢ２０（第一の切替ブロック）と、を具備し、
前記停電時において前記蓄電装置１２からの電力の供給先が、前記第二ブロックＢ２０（第一の切替ブロック）によって前記オーディオルーム１８（専用負荷）から前記重要負荷１５に切り替えられるものである。
【００９９】
このような構成により、停電時において、簡易な構成によって蓄電装置１２からの電力を重要負荷１５に供給することができる。
【０１００】
また、電力供給システム１００においては、前記専用負荷は、音響機器を有するオーディオルーム１８（音響空間）に設けられるものである。
【０１０１】
このような構成により、音響機器の動作を安定させることができる。
【０１０２】
以下では、図５を用いて、本発明に係る電力供給システムの第二実施形態である電力供給システム２００の構成について説明する。
【０１０３】
なお、第二実施形態に係る電力供給システム２００において、第一実施形態に係る電力供給システム１００と異なる点は、第一リレー１４等の各リレーの動作の制御に関する３つのブロックの分け方である。以下では、前記３つのブロックを、第一ブロックＢ１１と、第二ブロックＢ２１と、第三ブロックＢ３０と、それぞれ称する。
【０１０４】
第一ブロックＢ１１には、第一リレー１４及び第五リレー２２が含まれる。第一リレー１４及び第五リレー２２の動作は、一方がＯＮであると他方がＯＦＦとなる排他的制御が行われる。
【０１０５】
第二ブロックＢ２１には、第四リレー２１が含まれる。
【０１０６】
なお、第三ブロックＢ３０は、第一実施形態に係る電力供給システム１００における第三ブロックＢ３０と同様である。
【０１０７】
すなわち、第三ブロックＢ３０は、第三ブロックＢ３１と、第三ブロックＢ３２と、に分けられる。
【０１０８】
第三ブロックＢ３１は、第四リレー２１及び第二リレー１７が含まれる。第四リレー２１及び第二リレー１７の動作は、一方がＯＮであると他方がＯＦＦとなる排他的制御が行われる。
【０１０９】
第三ブロックＢ３２は、第五リレー２２及び第三リレー１９が含まれる。第五リレー２２及び第三リレー１９の動作は、一方がＯＮであると他方がＯＦＦとなる排他的制御が行われる。
【０１１０】
このように、第五リレー２２は、第二ブロックＢ２１及び第三ブロックＢ３０（より詳細には、第三ブロックＢ３２）の両方に含まれる。また、第四リレー２１は、第二ブロックＢ２１及び第三ブロックＢ３０（より詳細には、第三ブロックＢ３１）の両方に含まれる。
【０１１１】
こうして、第一ブロックＢ１１において第一リレー１４及び第五リレー２２の動作の制御が行われた場合には、当該制御に応じて、第三ブロックＢ３０における各スイッチの動作が制御される。具体的には、第一ブロックＢ１１において第一リレー１４及び第五リレー２２の動作の制御が行われると、第三ブロックＢ３０のうち、第三ブロックＢ３２において第三リレー１９の動作が制御される。
【０１１２】
以下では、図６から図９を用いて、電力供給システム２００における電力の供給態様について説明する。
なお、以下では、第一実施形態に係る電力供給システム１００と異なる点を中心に説明する。
【０１１３】
まず、図６を用いて、通常時にオーディオルーム１８が使用されていない場合の、電力供給システム２００における電力の供給態様について説明する。
【０１１４】
この場合、第一実施形態に係る電力供給システム１００と同様であり、一般負荷１０ａ及び重要負荷１５に商用電源９０からの電力が供給される。また、蓄電装置１２は、商用電源９０からの電力が充電可能となる。
【０１１５】
次に、図７を用いて、通常時にオーディオルーム１８が使用されている場合の、電力供給システム２００における電力の供給態様について説明する。
【０１１６】
この場合、第一ブロックＢ１１において、第一リレー１４がＯＦＦに切り替えられ、第一リレー１４に電力が流通不能な状態となる。すなわち、第一リレー１４がＯＦＦに切り替えられると、蓄電装置１２は、商用電源９０から解列され、当該商用電源９０からの電力が供給不能な状態（擬似的な停電時の状態）となる。なお、第一リレー１４のＯＮからＯＦＦへの切り替えは、例えばオーディオルーム１８を使用する居住者による手動の操作によって行われる。
【０１１７】
こうして、通常時において第一リレー１４がＯＮからＯＦＦへと切り替えられると、擬似停電モードが実行される。すなわち、蓄電装置１２の自立運転が行われ、当該蓄電装置１２において蓄電池２５に充電された電力をパワコン２６から出力することができる。
【０１１８】
また、第一ブロックＢ１１において第一リレー１４がＯＦＦに切り替えられた場合、当該第一ブロックＢ１１に含まれる第五リレー２２がＯＮに切り替えられ、第五リレー２２に電力が流通可能な状態となる。
【０１１９】
また、通常時には第三ブロックＢ３１に含まれる第四リレー２１がＯＦＦに切り替えられ、第四リレー２１に電力が流通不能な状態となる。
【０１２０】
こうして、自立運転によって蓄電装置１２から出力された電力は、第五電力経路３５（第五電力分岐経路３５ｂ）及び第四電力経路３４を介してオーディオルーム１８に供給される。こうして、オーディオルーム１８を使用する居住者は、自立運転による蓄電装置１２から出力された電力を用いて（すなわち、電圧変動が少ない電力を有効活用して）音響機器を動作させて音響を楽しむことができる。
【０１２１】
なお、前述したように、第四リレー２１に電力が流通不能な状態であるため、自立運転によって蓄電装置１２から出力された電力は重要負荷１５へと供給されない。
【０１２２】
次に、図８を用いて、停電時にオーディオルーム１８が使用されていない場合の、電力供給システム２００における電力の供給態様について説明する。
【０１２３】
この場合、制御装置２３が停電の発生を検知すると、第二ブロックＢ２１において第四リレー２１がＯＮに切り替えられ、第四リレー２１に電力が流通可能な状態となる。また、第四リレー２１は第三ブロックＢ３１にも含まれるため、当該第三ブロックＢ３１に含まれる第二リレー１７がＯＦＦに切り替えられ、第二リレー１７に電力が流通不能な状態となる。
【０１２４】
また、通常時に擬似停電モードが実行されていない場合、すなわち第一ブロックＢ１１において第一リレー１４がＯＮに切り替えられている場合には、当該第一ブロックＢ１１に含まれる第五リレー２２がＯＦＦに切り替えられており、第五リレー２２に電力が流通不能な状態となっている。
【０１２５】
また、停電が発生すると、連系ブレーカ１３によって第二電力経路３２の電力の流通が遮断され、蓄電装置１２が商用電源９０から解列される。こうして、蓄電装置１２は自立運転を行って、当該蓄電装置１２において蓄電池２５に充電された電力をパワコン２６から出力することができる。こうして、自立運転によって蓄電装置１２から出力された電力は、第五電力経路３５（第五電力分岐経路３５ａ）及び第三電力経路３３を介して重要負荷１５に供給される。
【０１２６】
これによって、停電時に住宅の居住者は、重要負荷１５に接続された電化製品、すなわち停電時において電力を供給する必要性が高い住宅のリビングの照明や、医療機器、冷蔵庫等を、自立運転によって蓄電装置１２から出力された電力を利用して使用することができる。
【０１２７】
なお、前述したように、第五リレー２２に電力が流通不能な状態であるため、自立運転によって蓄電装置１２から出力された電力は、オーディオルーム１８へと供給されない。
【０１２８】
また、停電時であっても、簡単な操作によって、オーディオルーム１８を使用することができる。具体的には、図９に示すように、図８に示す状態から第一ブロックＢ１１において第一リレー１４をＯＦＦに切り替えると、当該第一ブロックＢ１１に含まれる第五リレー２２がＯＮに切り替えられ、第五リレー２２に電力が流通可能な状態となる。
【０１２９】
こうして、停電時の自立運転によって蓄電装置１２から出力された電力は、第五電力経路３５（第五電力分岐経路３５ｂ）及び第四電力経路３４を介してオーディオルーム１８に供給される。こうして、オーディオルーム１８を使用する居住者は、停電時であっても自立運転による蓄電装置１２から出力された電力を用いて音響機器を動作させ、音響を楽しむことができる。
【０１３０】
なお、（通常時に）オーディオルーム１８を使用している際に停電が発生した場合には、住宅の居住者による手動の操作ではなく、制御装置２３の制御によって自動的に第一ブロックＢ１１において第一リレー１４をＯＦＦに切り替える構成とすることもできる。
【０１３１】
このような構成により、オーディオルーム１８を使用する居住者は、停電が発生した場合に、自ら操作を行わなくても、自立運転による蓄電装置１２から出力された電力を用いて音響機器の動作を継続させ、通常時から引き続き音響を楽しむことができる。
【０１３２】
なお、このような構成とする場合には、制御装置２３の表示部２７等を用いて、自立運転による蓄電装置１２から出力された電力を用いて音響機器の動作を継続させるか否かの選択情報や、蓄電装置１２に充電されている電力量（すなわち、音響機器の動作を継続させる場合における継続可能な期間）の情報等を居住者に報知することが望ましい。
【０１３３】
以上のように、本発明に係る電力供給システムの一実施形態である電力供給システム２００は、
ＯＮとＯＦＦとに切り替え可能であり、前記蓄電装置１２から前記オーディオルーム（専用負荷）への電力の流通の可否を切り替える第五リレー２２（第二リレー）を具備し、
前記第五リレー２２（第二リレー）は、前記第一リレー１４と互いに排他的に切り替えられるものである。
【０１３４】
このような構成により、停電時であっても、簡単な操作によって蓄電装置１２からの電力をオーディオルーム１８へと供給することができる。
【０１３５】
以下では、図１０を用いて、本発明に係る電力供給システムの第三実施形態である電力供給システム３００の構成について説明する。
【０１３６】
なお、第三実施形態に係る電力供給システム３００において、第一実施形態に係る電力供給システム１００と異なる点は、第一リレー１４等の各リレーの動作の制御に関する３つのブロックの分け方である。以下では、前記３つのブロックを、第一ブロックＢ１２と、第二ブロックＢ２２と、第三ブロックＢ３２と、それぞれ称する。
【０１３７】
第一ブロックＢ１２には、第一リレー１４が含まれる。
【０１３８】
第二ブロックＢ２２には、第二リレー１７及び第四リレー２１が含まれる。第二リレー１７及び第四リレー２１の動作は、一方がＯＮであると他方がＯＦＦとなる排他的制御が行われる。
【０１３９】
また、第二ブロックＢ２２において、第二リレー１７及び第四リレー２１は、制御装置２３が停電の発生を検知した場合に、当該制御装置２３によりＯＮとＯＦＦとが切り替えられる。具体的には、制御装置２３が停電の発生を検知していない場合に、第二リレー１７がＯＮに切り替えられると共に、第四リレー２１がＯＦＦに切り替えられる（図１１参照）。また、制御装置２３が停電の発生を検知した場合に、第二リレー１７がＯＦＦに切り替えられると共に、第四リレー２１がＯＮに切り替えられる（図１２参照）。
【０１４０】
第三ブロックＢ３２には、第三リレー１９及び第五リレー２２が含まれる。第三リレー１９及び第五リレー２２の動作は、一方がＯＮであると他方がＯＦＦとなる排他的制御が行われる。
【０１４１】
また、第三ブロックＢ３２において、第三リレー１９及び第五リレー２２は、制御装置２３が蓄電装置１２の自立運転を検知した場合に、当該制御装置２３によりＯＮとＯＦＦとが切り替えられる。具体的には、制御装置２３が蓄電装置１２の自立運転を検知した場合に、第三リレー１９がＯＦＦに切り替えられると共に、第五リレー２２がＯＮに切り替えられる（図１１及び図１２参照）。また、制御装置２３が蓄電装置１２の自立運転を検知していない場合に、第三リレー１９がＯＮに切り替えられると共に、第五リレー２２がＯＦＦに切り替えられる（図１０参照）。
【０１４２】
以下では、図１１及び図１２を用いて、電力供給システム３００における電力の供給態様について説明する。
なお、以下では、第一実施形態に係る電力供給システム１００と異なる点を中心に説明する。
【０１４３】
次に、図１１を用いて、通常時にオーディオルーム１８が使用されている場合の、電力供給システム３００における電力の供給態様について説明する。
【０１４４】
図１１に示すように、通常時にオーディオルーム１８が使用されている場合には、第一ブロックＢ１２において第一リレー１４がＯＦＦに切り替えられ、第一リレー１４に電力が流通不能な状態となる。すなわち、第一リレー１４がＯＦＦに切り替えられると、蓄電装置１２は、商用電源９０から解列され、当該商用電源９０からの電力が供給不能な状態（擬似的な停電時の状態）となる。
【０１４５】
こうして、通常時において第一リレー１４がＯＮからＯＦＦへと切り替えられると、擬似停電モードが実行される。すなわち、蓄電装置１２の自立運転が行われ、当該蓄電装置１２において蓄電池２５に充電された電力をパワコン２６から出力することができる。
【０１４６】
また、擬似停電モードが実行されると、第三ブロックＢ３２において第三リレー１９がＯＦＦに切り替えられると共に、第五リレー２２がＯＮに切り替えられる。また、通常時においては、制御装置２３が停電の発生を検知していないため、第二ブロックＢ２２において第二リレー１７がＯＮに切り替えられると共に、第四リレー２１がＯＦＦに切り替えられる。
【０１４７】
こうして、自立運転によって蓄電装置１２から出力された電力は、第五電力経路３５（第五電力分岐経路３５ｂ）及び第四電力経路３４を介してオーディオルーム１８に供給される。こうして、オーディオルーム１８を使用する居住者は、自立運転による蓄電装置１２から出力された電力を用いて（すなわち、電圧変動が少ない電力を有効活用して）音響機器を動作させて音響を楽しむことができる。
【０１４８】
なお、前述したように、第二ブロックＢ２２において第四リレー２１に電力が流通不能な状態であるため、自立運転によって蓄電装置１２から出力された電力は重要負荷１５へと供給されない。重要負荷１５には、商用電源９０からの電力が継続して供給される。
【０１４９】
次に、図１２を用いて、停電時にオーディオルーム１８が使用されている場合の、電力供給システム３００における電力の供給態様について説明する。
【０１５０】
図１２に示すように、停電が発生すると、連系ブレーカ１３によって第二電力経路３２の電力の流通が遮断され、蓄電装置１２が商用電源９０から解列される。こうして、蓄電装置１２は自立運転を行って、当該蓄電装置１２において蓄電池２５に充電された電力をパワコン２６から出力することができる。
【０１５１】
また、自立運転が行われると、第三ブロックＢ３２において第三リレー１９がＯＦＦに切り替えられると共に、第五リレー２２がＯＮに切り替えられる。また、停電時においては、制御装置２３が停電の発生を検知するため、第二ブロックＢ２２において第二リレー１７がＯＦＦに切り替えられると共に、第四リレー２１がＯＮに切り替えられる。
【０１５２】
自立運転によって蓄電装置１２から出力された電力は、第五電力経路３５（第五電力分岐経路３５ｂ）及び第四電力経路３４を介してオーディオルーム１８に供給される。こうして、オーディオルーム１８を使用する居住者は、自立運転による蓄電装置１２から出力された電力を用いて（すなわち、電圧変動が少ない電力を有効活用して）音響機器を動作させて音響を楽しむことができる。
【０１５３】
また、自立運転によって蓄電装置１２から出力された電力は、第五電力経路３５（第五電力分岐経路３５ａ）及び第三電力経路３３を介して重要負荷１５に供給される。こうして、停電時に住宅の居住者は、重要負荷１５に接続された電化製品、すなわち停電時において電力を供給する必要性が高い住宅のリビングの照明や、医療機器、冷蔵庫等を、自立運転によって蓄電装置１２から出力された電力を利用して使用することができる。
【０１５４】
このように、電力供給システム３００においては、停電時であっても、簡易な構成によって蓄電装置１２からの電力を重要負荷１５及びオーディオルーム１８へと供給することができる。
【０１５５】
以上のように、本発明に係る電力供給システムの一実施形態である電力供給システム３００は、
前記停電時においても電力の供給を必要とし、前記一般負荷１０ａ及び前記オーディオルーム１８（専用負荷）とは異なる重要負荷１５と、
前記商用電源９０から前記重要負荷１５への電力の流通の可否と、前記蓄電装置１２から前記重要負荷１５への電力の流通の可否とを、前記停電時であるか否かに応じて排他的に切り替える第二ブロックＢ２２（第二の切替ブロック）と、を具備し、
前記第二ブロックＢ２２（第二の切替ブロック）は、前記停電時において、前記商用電源９０から前記重要負荷１５への電力の流通を不能に切り替えると共に、前記蓄電装置１２から前記重要負荷１５への電力の流通を可能に切り替えるものである。
【０１５６】
このような構成により、停電時において、簡易な構成によって蓄電装置１２からの電力を重要負荷１５に供給することができる。
【０１５７】
また、電力供給システム３００においては、前記商用電源９０から前記オーディオルーム１８（専用負荷）への電力の流通の可否と、前記蓄電装置１２から前記オーディオルーム１８（専用負荷）への電力の流通の可否とを、前記蓄電装置１２の自立運転が行われているか否かに応じて排他的に切り替える第三ブロックＢ３２（第三の切替ブロック）を具備し、
前記第三ブロックＢ３２（第三の切替ブロック）は、前記蓄電装置１２の自立運転が行われている場合に、前記商用電源９０から前記オーディオルーム１８（専用負荷）への電力の流通を不能に切り替えると共に、前記蓄電装置１２から前記オーディオルーム１８（専用負荷）への電力の流通を可能に切り替えるものである。
【０１５８】
このような構成により、停電時において、簡易な構成によって蓄電装置１２からの電力をオーディオルーム１８（専用負荷）及び重要負荷１５に供給することができる。
【０１５９】
なお、本実施形態に係る一般分電盤１０は、本発明に係る分電盤の一実施形態である。
また、本実施形態に係る第一リレー１４は、本発明に係る第一リレーの一実施形態である。
また、本実施形態に係る第五リレー２２は、本発明に係る第二リレーの一実施形態である。
また、本実施形態に係るオーディオルーム１８は、本発明に係る専用負荷の一実施形態である。
また、本実施形態に係る第二ブロックＢ２０は、本発明に係る切替ブロックの一実施形態である。
【０１６０】
以上、本発明の実施形態を説明したが、本発明は上記構成に限定されるものではなく、特許請求の範囲に記載された発明の範囲内で種々の変更が可能である。
【０１６１】
なお、本実施形態において電力供給システム１００・２００・３００は住宅に設けられているが、本発明に係る電力供給システムは、住宅だけでなく、店舗やオフィスビル、マンション等、種々の建築物に採用することができる。
【０１６２】
また、本実施形態において第一リレー１４等の各リレーの動作（具体的には、ＯＮとＯＦＦとの切り替え）は、制御装置２３の制御により行われる構成としたが、これに限定するものではない。例えば、第一リレー１４等の各リレーの動作は、住宅の居住者による手作業（手動）により行われる構成としてもよい。また例えば、第一リレー１４等の各リレーの動作は、連系ブレーカ１３等のブレーカの検知に応じて自動的に行われる構成としてもよい。
【０１６３】
また、本実施形態に係る制御装置２３は、例えば図示せぬホームサーバ等や、蓄電装置１２の制御部、住宅に設けられたＨＥＭＳ等により構成されるものでもよい。
【０１６４】
また、本実施形態においてオーディオルーム１８は、本発明に係る専用負荷の一実施形態であるが、本発明に係る専用負荷は、オーディオルーム１８に限定するものではない。例えば、本発明に係る専用負荷は、医療機器のような電化製品等、電圧変動が少ない電力を有効活用することが所望されるものであればよい。
【０１６５】
また、本実施形態において蓄電装置１２は、自立運転を行うものであるが、図示せぬ変圧回路や周波数変更回路等を具備し、当該蓄電装置１２から自立出力される電力の電圧や周波数を任意に変更可能な構成とすることができる。こうして、蓄電装置１２は、オーディオルーム１８に設けられて音響機器が接続される回路へと、当該音響機器に応じた最適な電圧や周波数の電力を供給することができる。このような構成により、最適な電圧や周波数の電力を用いて音響装置を動作させ、住宅の居住者が、より良好な音響を楽しむことができる。
【０１６６】
このように、本実施形態において電力供給システム１００・２００・３００は、自立運転によって出力される蓄電装置１２からの電力の電圧及び／又は周波数を変更する前記変圧回路や周波数変更回路を具備するものである。
【０１６７】
このような構成により、自立運転によって出力される蓄電装置１２からの電力を使用する場合に、当該電力を最適な電圧や周波数に変更して使用することができる。
【０１６８】
また、本発明に係る電力供給システムは、自然エネルギーとして、太陽光、水力、風力、潮力等を利用して発電する発電部や、燃料電池が設けられる構成であってもよい。
【０１６９】
なお、上述の如き電力供給システム１００・２００・３００においては、擬似停電モードが実行された場合に、蓄電装置１２からの電力の出力が継続し過ぎると、当該蓄電装置１２に充電された電力量（残容量）がなくなるおそれがある。このように、蓄電装置１２の残容量がなくなると、当該蓄電装置１２がエラーとなって動作を停止することになる。そこで、電力供給システム１００・２００・３００においては、擬似停電モードが実行された場合に、蓄電装置１２からの電力の出力（すなわち、擬似停電モードの実行）が継続し過ぎるのを抑制するための構成を有することができる。
【０１７０】
なお、本実施形態において、蓄電装置１２からの電力の出力が継続し過ぎる場合とは、蓄電装置１２からの電力の出力を停止させるのが望ましい状態であるにもかかわらず、当該出力が継続している場合を指すものとする。なお、蓄電装置１２からの電力の出力を停止させるのが望ましい状態とは、例えば居住者がオーディオルーム１８を使用した後に擬似停電モードを終了させるのを失念している場合や、蓄電装置１２の残容量が放電に適した量よりも少ない場合等が想定される。
【０１７１】
以下では、図１３から図１６を用いて、蓄電装置１２からの電力の出力が継続し過ぎるのを抑制するための構成について説明する。
なお、以下では説明の便宜上、電力供給システム３００が前記構成（蓄電装置１２からの電力の出力が継続し過ぎるのを抑制するための構成）を有するものとして説明するが、電力供給システム１００・２００が前記構成を有してもよい。なお、前記構成を有した電力供給システム３００を、以下では当該電力供給システム３００の別例として「電力供給システム４００」と称する。
【０１７２】
図１３から図１５は、電力供給システム３００の第一別例としての電力供給システム４００の構成を示している。図１３に示すように、第一別例に係る電力供給システム４００において、電力供給システム３００と異なる点は、照明１０ｂと、第六電力経路３６と、第六リレー２４と、を具備する点、及び第一ブロックＢ１２（以下では「第一ブロックＢ１４」と称する）に第一リレー１４と共に第六リレー２４が含まれる点である。
【０１７３】
照明１０ｂは、オーディオルーム１８内で点灯するものである。照明１０ｂは、宅内の負荷（家庭内負荷）に含まれる。照明１０ｂは、後述する第六電力経路３６を介して、一般分電盤１０から電力が分配（供給）される。
【０１７４】
第六電力経路３６は、電力を流通させるための経路である。第六電力経路３６は、導線等で構成される。第六電力経路３６の一側は、照明１０ｂに接続される。第六電力経路３６の他側は、一般分電盤１０に接続される。第六電力経路３６の中途部には、第六リレー２４が設置される。
【０１７５】
第六リレー２４は、電力の流通の可否を切り替えるものである。第六リレー２４は、第六電力経路３６において、照明１０ｂと一般分電盤１０との間に設置される。第六リレー２４がＯＮに切り替えられると、電力が第六リレー２４を流通可能となる。また、第六リレー２４がＯＦＦに切り替えられると、電力が第六リレー２４を流通不能となる。
【０１７６】
また、第六リレー２４は、オーディオルーム１８の照明１０ｂの点灯をＯＮ・ＯＦＦする図示せぬ照明スイッチと連動される。具体的には、前記照明スイッチがＯＮされると、自動的に第六リレー２４がＯＮに切り替えられ、照明１０ｂが点灯される。また、前記照明スイッチがＯＦＦされると、自動的に第六リレー２４がＯＦＦに切り替えられ、照明１０ｂが消灯される。
【０１７７】
第一ブロックＢ１４には、第一リレー１４及び第六リレー２４が含まれる。第一リレー１４及び第六リレー２４の動作は、一方がＯＮであると他方がＯＦＦとなる排他的制御が行われる。ここで、第六リレー２４の動作は、上述の如く前記照明スイッチと連動される。すなわち、第一リレー１４の動作も、第六リレー２４の動作と同様に前記照明スイッチと連動されることになる。
【０１７８】
以下では、前記第一別例に係る電力供給システム４００における電力の供給態様について説明する。
なお、以下では、電力供給システム３００と異なる点を中心に説明する。
【０１７９】
まず、図１４を用いて、通常時にオーディオルーム１８が使用される場合の、前記第一別例に係る電力供給システム４００における電力の供給態様について説明する。
【０１８０】
通常時にオーディオルーム１８が使用される場合、オーディオルーム１８の照明１０ｂを点灯させるために、居住者によりオーディオルーム１８の前記照明スイッチがＯＮされる。こうして、図１４に示すように、前記照明スイッチがＯＮされると、第一ブロックＢ１４において第六リレー２４がＯＮに切り替えられると共に、第一リレー１４がＯＦＦに切り替えられる。
【０１８１】
第一リレー１４がＯＦＦに切り替えられると、擬似停電モードが実行される。すなわち、蓄電装置１２の自立運転が行われ、当該蓄電装置１２において蓄電池２５に充電された電力をパワコン２６から出力することができる。また、第六リレー２４がＯＮに切り替えられると、照明１０ｂに（一般分電盤１０により分配された）商用電源９０からの電力が供給される。
【０１８２】
こうして、通常時にオーディオルーム１８が使用される場合、居住者は、商用電源９０からの電力を用いて照明１０ｂを点灯させると共に、自立運転による蓄電装置１２から出力された電力を用いて音響機器を動作させて音響を楽しむことができる。
【０１８３】
次に、図１５を用いて、図１４に示す状態からオーディオルーム１８の使用が終了した場合の、前記第一別例に係る電力供給システム４００における電力の供給態様について説明する。
【０１８４】
オーディオルーム１８の使用が終了した場合には、オーディオルーム１８の照明１０ｂを消灯させるために、居住者により前記照明スイッチがＯＦＦされる。こうして、図１５に示すように、前記照明スイッチがＯＦＦされると、第一ブロックＢ１４において第六リレー２４が自動的にＯＦＦに切り替えられると共に、第一リレー１４がＯＮに切り替えられる。
【０１８５】
第六リレー２４がＯＦＦに切り替えられると、照明１０ｂに電力が供給されなくなり、当該照明１０ｂが消灯する。また、第一リレー１４がＯＮに切り替えられると、擬似停電モードが終了する。すなわち、蓄電装置１２の自立運転が停止され、蓄電装置１２は商用電源９０と連系することにより当該商用電源９０からの電力を充電可能となる。
【０１８６】
ここで、オーディオルーム１８の使用が終了した場合には、オーディオルーム１８の照明１０ｂを消灯させるために、居住者により前記照明スイッチがＯＦＦされるものである。すなわち、このような構成により、居住者がオーディオルーム１８を使用した後に擬似停電モードを終了させるのを失念している場合であっても、当該オーディオルーム１８の前記照明スイッチのＯＦＦと共に擬似停電モードを終了させることができる。
【０１８７】
このように、前記第一別例に係る電力供給システム４００においては、オーディオルーム１８の照明１０ｂが消灯している場合に、蓄電装置１２が商用電源９０と連系することにより当該商用電源９０からの電力を充電可能としている。こうして、蓄電装置１２からの電力の出力が継続し過ぎるのを抑制し、当該蓄電装置１２がエラーとなって動作を停止するのを防止することができる。
【０１８８】
なお、前記第一別例に係る電力供給システム４００においては、第一ブロックＢ１４の第六リレー２４が、照明１０ｂへと電力が流通する経路（第六電力経路３６）の中途部に配置されると共に前記照明スイッチと連動するものとしたが、この構成に限定するものではない。例えば、第一ブロックＢ１４の第六リレー２４が、オーディオルーム１８の音響機器へと電力が流通する経路の中途部に配置されると共にオーディオルーム１８の音響機器の図示せぬ電源スイッチと連動するものとしてもよい。
【０１８９】
ここで、オーディオルーム１８の使用が終了した場合には、居住者によりオーディオルーム１８の音響機器の前記電源スイッチがＯＦＦされるものである。すなわち、このような構成により、居住者がオーディオルーム１８を使用した後に擬似停電モードを終了させるのを失念している場合であっても、当該オーディオルーム１８の音響機器の前記電源スイッチのＯＦＦと共に擬似停電モードを終了させることができる。こうして、蓄電装置１２からの電力の出力が継続し過ぎるのを抑制し、当該蓄電装置１２がエラーとなって動作を停止するのを防止することができる。
【０１９０】
また、前記第一別例に係る電力供給システム４００においては、第一ブロックＢ１４が第一リレー１４と共に第六リレー２４を含み、第一リレー１４及び第六リレー２４は排他的制御が行われるものとしたが、この構成に限定するものではない。例えば、図１６に示すように、第一ブロックＢ１４が、第一リレー１４のみを含み、当該第一リレー１４は特定の機器（以下では「特定機器５０」と称する）と連動した制御が行われるものとしてもよい。なお、図１６は、電力供給システム３００の第二別例としての電力供給システム４００の構成を示している。
【０１９１】
特定機器５０は、宅内に設けられる機器である。本実施形態においては、特定機器５０として、例えばオーディオルーム１８に設けられた図示せぬ人感センサや、タイマースイッチ、ＨＥＭＳ（Ｈｏｍｅ  Ｅｎｅｒｇｙ  Ｍａｎａｇｅｍｅｎｔ  Ｓｙｓｔｅｍ）等を用いることが想定される。以下にて、より詳細に説明する。
【０１９２】
まず、特定機器５０として前記人感センサを用いた場合の構成について説明する。
【０１９３】
前記人感センサは、オーディオルーム１８内に人がいると、当該人の存在を検知し、その検知結果（オーディオルーム１８内に人がいるとの検知結果）を出力するものである。前記人感センサの検知結果は、制御装置２３に取得される。制御装置２３は、前記人感センサの検知結果に応じて第一リレー１４の動作を制御する。
【０１９４】
具体的には、第一ブロックＢ１４において、第一リレー１４は、前記人感センサからオーディオルーム１８内に人がいるとの検知結果が出力された場合には、ＯＦＦに切り替えられる。また、第一ブロックＢ１４において、第一リレー１４は、前記人感センサからオーディオルーム１８内に人がいるとの検知結果が出力されない場合には、ＯＮに切り替えられる。このように、第一リレー１４の動作は、前記人感センサの検知結果と連動するように構成される。
【０１９５】
こうして、居住者がオーディオルーム１８内に入ると、前記人感センサからオーディオルーム１８内に人がいるとの検知結果が出力されることにより、第一リレー１４がＯＦＦに切り替えられ、擬似停電モードが実行される。すなわち、通常時にオーディオルーム１８が使用される場合においては、（当該オーディオルーム１８内にいる）居住者は、自立運転による蓄電装置１２から出力された電力を用いて音響機器を動作させて音響を楽しむことができる。
【０１９６】
また、オーディオルーム１８の使用が終了した場合には、居住者が当該オーディオルーム１８内から退出する。このような場合、前記人感センサからオーディオルーム１８内に人がいるとの検知結果が出力されず、第一リレー１４がＯＮに切り替えられ、擬似停電モードが終了する。すなわち、蓄電装置１２の自立運転が停止され、蓄電装置１２は商用電源９０と連系することにより当該商用電源９０からの電力を充電可能となる。
【０１９７】
このような構成により、居住者がオーディオルーム１８を使用した後に擬似停電モードを終了させるのを失念している場合であっても、当該オーディオルーム１８内からの退出と共に擬似停電モードを終了させることができる。
【０１９８】
このように、前記第二別例に係る電力供給システム４００においては、オーディオルーム１８内に居住者がいない場合に、蓄電装置１２が商用電源９０と連系することにより当該商用電源９０からの電力を充電可能としている。こうして、蓄電装置１２からの電力の出力が継続し過ぎるのを抑制し、当該蓄電装置１２がエラーとなって動作を停止するのを防止することができる。
【０１９９】
なお、前記人感センサの検知結果が制御装置２３に取得されるものとしたが、当該制御装置２３を経由せず、前記人感センサの検知結果（出力された信号）が第一リレー１４に直接入力され、これに応じて第一リレー１４の動作が制御されるものとしてもよい。
【０２００】
次に、特定機器５０として前記タイマースイッチを用いた場合の構成について説明する。
【０２０１】
前記タイマースイッチは、時刻を計時すると共に、予め設定された所定時刻（例えば、毎日午前７時）になると、当該所定時刻になった旨の信号を出力するものである。前記タイマースイッチから出力された信号は、制御装置２３に取得される。制御装置２３は、前記タイマースイッチから出力された信号に応じて第一リレー１４の動作を制御する。
【０２０２】
具体的には、第一ブロックＢ１４において、第一リレー１４は、ＯＦＦに切り替えられた状態で、前記タイマースイッチから信号が出力された場合には、自動的に（強制的に）ＯＮに切り替えられる。また、第一ブロックＢ１４において、第一リレー１４は、ＯＮに切り替えられた状態で、前記タイマースイッチから信号が出力された場合には、当該ＯＮに切り替えられた状態が維持される。このように、第一リレー１４の動作は、タイマースイッチから出力された信号と連動するように構成される。
【０２０３】
こうして、居住者がオーディオルーム１８を使用した後に擬似停電モードを終了させるのを失念している場合であっても、毎日午前７時になると、自動的に第一リレー１４がＯＮに切り替えられ、擬似停電モードが終了する。すなわち、蓄電装置１２の自立運転が停止され、蓄電装置１２は商用電源９０と連系することにより当該商用電源９０からの電力を充電可能となる。
【０２０４】
なお、前記タイマースイッチに予め設定される所定時刻は、居住者のライフスタイルや蓄電装置１２の容量等に応じて、当該居住者が任意に設定することができる。また、前記タイマースイッチに予め設定される所定時刻は、一旦オーディオルーム１８が使用された時点（擬似停電モードが実行された時点）から所定期間後の時刻として設定することができる。また、予め設定された所定時刻か否かを計時する機器は、タイマースイッチに限定するものではない。予め設定された所定時刻か否かを計時する機器は、一般的に使用される種々のものを採用することができる。
【０２０５】
また、前記タイマースイッチから出力された信号が制御装置２３に取得されるものとしたが、当該制御装置２３を経由せず、前記タイマースイッチから出力された信号が第一リレー１４に直接入力され、これに応じて第一リレー１４の動作が制御されるものとしてもよい。
【０２０６】
次に、特定機器５０として前記ＨＥＭＳを用いた場合の構成について説明する。
【０２０７】
前記ＨＥＭＳは、本実施形態において、制御装置２３に含まれるものである。前記ＨＥＭＳは、第二別例に係る電力供給システム４００内の情報を管理し、当該電力供給システム４００を構成する各機器を制御する。前記ＨＥＭＳは、電力供給システム４００を構成する各機器のエネルギー使用状況を把握することにより、住宅全体のエネルギーの需要と供給とを総合的に把握し、各機器を効率的に動作するように制御することができる。
【０２０８】
前記ＨＥＭＳは、蓄電装置１２の残容量に関する情報を取得する。前記ＨＥＭＳは、蓄電装置１２の残容量に関する情報に応じて第一ブロックＢ１４における第一リレー１４の動作を制御する。
【０２０９】
こうして、通常時にオーディオルーム１８が使用されている場合、すなわち第一ブロックＢ１４において第一リレー１４がＯＦＦに切り替えられ、擬似停電モードが実行されている場合であっても、蓄電装置１２の残容量に応じて自動的に当該第一リレー１４がＯＮに切り替えられる。具体的には、蓄電装置１２の残容量が、所定の値（例えば、満充電の値に対して１０％の値）以下となると、自動的に第一リレー１４がＯＮに切り替えられ、擬似停電モードが終了する。すなわち、蓄電装置１２の自立運転が停止され、蓄電装置１２は商用電源９０と連系することにより当該商用電源９０からの電力を充電可能となる。
【０２１０】
このような構成により、通常時にオーディオルーム１８が使用されている場合であっても、蓄電装置１２の残容量がなくなるおそれがある場合には、当該蓄電装置１２からの電力の出力が継続し過ぎるのを抑制し、当該蓄電装置１２がエラーとなって動作を停止するのを防止することができる。
【０２１１】
なお、蓄電装置１２の残容量が所定値となって自動的に擬似停電モードが終了する場合には、事前に表示部２７等を用いて当該蓄電装置１２の残容量が所定の値以下となった旨を居住者に報知してもよい。このような構成にすると、オーディオルーム１８を使用している居住者に、擬似停電モードが終了する旨（すなわち、音響装置の動作が停止される旨）を予め認識させることができる。
【０２１２】
また、前記ＨＥＭＳは、オーディオルーム１８の音響機器の消費電力に関する情報を取得するものである。したがって、前記ＨＥＭＳは、オーディオルーム１８の音響機器の消費電力に関する情報に応じて第一ブロックＢ１４における第一リレー１４の動作を制御する構成としてもよい。
【０２１３】
具体的には、オーディオルーム１８の音響機器の消費電力が、所定の値（例えば、待機電力の値）以下となった場合には、当該音響機器の動作が終了したと考えられる。したがって、オーディオルーム１８の音響機器の消費電力が、待機電力の値以下となった場合には、自立運転を行う必要がないため、自動的に第一リレー１４をＯＮに切り替え、擬似停電モードを終了させる構成としてもよい。なお、前記所定の値は、居住者が任意に設定することができる。
【０２１４】
以上のように、電力供給システム４００においては、
前記擬似停電モードが実行された場合に、
所定の条件を満たすと自動的に前記第一リレー１４がＯＮに切り替えられ、当該擬似停電モードの実行を停止するものである。
【０２１５】
また、時刻を計時する前記タイマースイッチ（計時部）を具備し、前記タイマースイッチ（計時部）により計時された時刻が例えば午前７時（特定時刻）になった場合に、前記所定の条件を満たすものである。
【０２１６】
このような構成により、蓄電装置１２がエラーとなって動作を停止するのを防止することができる。
【０２１７】
なお、前記第一別例に係る電力供給システム４００において、オーディオルーム１８の前記照明スイッチがＯＦＦされることや、前記第二別例に係る電力供給システム４００において、前記人感センサからオーディオルーム１８内に人がいるとの検知結果が出力されないことや、蓄電装置１２の残容量が所定の値となったこと等は、擬似停電モードの実行を停止するための所定の条件の一例である。
【符号の説明】
【０２１８】
１０    一般分電盤
１０ａ  一般負荷
１２    蓄電装置
１４    第一リレー
９０    商用電源
１００  電力供給システム
【図１】
0006549897.tif 000002
【図２】
0006549897.tif 000003
【図３】
0006549897.tif 000004
【図４】
0006549897.tif 000005
【図５】
0006549897.tif 000006
【図６】
0006549897.tif 000007
【図７】
0006549897.tif 000008
【図８】
0006549897.tif 000009
【図９】
0006549897.tif 000010
【図１０】
0006549897.tif 000011
【図１１】
0006549897.tif 000012
【図１２】
0006549897.tif 000013
【図１３】
0006549897.tif 000014
【図１４】
0006549897.tif 000015
【図１５】
0006549897.tif 000016
【図１６】
0006549897.tif 000017